(57)【要約】【課題】ＬＥＤを光源として用いた照明器具における放熱効率を高めることを目的とする。【解決手段】お盆状に形成された光源基台３の基台側板３−２の内側にＬＥＤ２を設ける。光源基台３の基台蓋板３−１の内側にＬＥＤ２と離れて蛍光体シート４が設けられる。ＬＥＤ２は基台側板３−２の内側に設けられるため、器具の外郭への距離が短い。【選択図】図２
2008218114.tif 000002
【特許請求の範囲】
【請求項１】
取付面に取り付けられる照明器具において、
上記取付面に取り付けられた場合に上記取付面と略平行になる基台蓋板と、外郭を構成する基台側板とを有するお盆状の光源基台と、
上記光源基台の基台側板の内側に設けられた青色、青紫色あるいは紫外線の光を放出するＬＥＤ（Ｌｉｇｈｔ−Ｅｍｉｔｔｉｎｇ  Ｄｉｏｄｅ）を有する光源部と、
上記光源基台の基台蓋板内側に上記光源部とは離れて設けられた、上記光源部が放出する光を励起光として他の可視光に波長変換する波長変換部と
を備えることを特徴とする照明器具。
【請求項２】
上記光源部が有するＬＥＤは、光軸が水平よりも上記波長変換部側へ向いた
ことを特徴とする請求項１記載の照明器具。
【請求項３】
上記光源部は、断面凹字型に形成された基板の凹部の底面にＬＥＤが設けられるとともに、上記基板の凹部の側面内側に上記ＬＥＤが放出した光を反射する反射部が設けられた表面実装型ＬＥＤを有する
ことを特徴とする請求項１記載の照明器具。
【請求項４】
上記反射部は、上記ＬＥＤが放出した光を反射する方向が上記波長変換部側へ向くように傾けて設けられた
ことを特徴とする請求項３記載の照明器具。
【請求項５】
上記波長変換部は、上記基台蓋板側又は上記基台蓋板と反対側が凸部となる断面く字型を形成するように設けられた
ことを特徴とする請求項１記載の照明器具。
【請求項６】
上記照明器具は、さらに、
お盆状に形成され、上記取付面に取り付けられる取付部側板と、上記光源基台の基台蓋板外側に外側が取り付けられた取付部底板とを有する取付部と、
上記取付部の取付部底板内側に、上記取付部側板内側に略密着して設けられた電源部と
を備えることを特徴とする請求項１記載の照明器具。
【請求項７】
上記照明器具は、さらに、
上記光源基台の基台側板端部の内側に、上記光源部が有するＬＥＤが放出する光を透過しない不透過部
を備えることを特徴とする請求項１記載の照明器具。
【発明の詳細な説明】
【技術分野】
【０００１】
本発明は、例えば、点状光源であるＬＥＤ（Ｌｉｇｈｔ−Ｅｍｉｔｔｉｎｇ  Ｄｉｏｄｅ）を用いた照明器具の放熱を効率的に行う技術に関する。
【背景技術】
【０００２】
従来、ＬＥＤを光源として用いた照明器具では、ＬＥＤが可視光を放射するためＬＥＤを照明器具の中央部に配置する。そのため、ＬＥＤからの熱を照明器具の外部に放出するために工夫が必要である。特許文献１では、照明器具の中央部に配置されたＬＥＤで発生した熱を、まず背面に実装されている基板へ伝導させる。次に、熱を基板から、基板に当接している金属製取付け部材へ伝導させる。そして、熱を金属製取付け部材から、造営物に取付けられている取付面を介して造営物に放熱させる。
【特許文献１】特開２００５−７１７１１号公報
【発明の開示】
【発明が解決しようとする課題】
【０００３】
しかし、特許文献１の方法では、ＬＥＤで発生した熱を照明器具の外部に熱伝導させる距離が長い。そのため、効率的に熱を放出することができない。
本発明は、例えば、ＬＥＤで発生した熱を照明器具の外部に熱伝導させる距離を短くすることを目的とする。また、熱の発生源となる部材を分散させることにより放熱効果を高めることを目的とする。さらに、ＬＥＤ以外の部材で発生した熱を照明器具の外部に熱伝導させる距離を短くすることを目的とする。
【課題を解決するための手段】
【０００４】
本発明に係る照明器具は、例えば、取付面に取り付けられる照明器具において、
上記取付面に取り付けられた場合に上記取付面と略平行になる基台蓋板と、外郭を構成する基台側板とを有するお盆状の光源基台と、
上記光源基台の基台側板の内側に設けられた青色、青紫色あるいは紫外線の光を放出するＬＥＤ（Ｌｉｇｈｔ−Ｅｍｉｔｔｉｎｇ  Ｄｉｏｄｅ）を有する光源部と、
上記光源基台の基台蓋板内側に上記光源部とは離れて設けられた、上記光源部が放出する光を励起光として他の可視光に波長変換する波長変換部と
を備えることを特徴とする。
【発明の効果】
【０００５】
本発明に係る照明器具によれば、例えば、本発明ではＬＥＤ基板を照明器具を構成する側壁に直接熱伝導させることが可能である。また、照明に必要な光を照明器具中央部から取り出すことが可能である。
【発明を実施するための最良の形態】
【０００６】
実施の形態１．
実施の形態１では、効率的に熱を放出する照明器具について説明する。
【０００７】
図１から図３までに基づき実施の形態１に係る照明器具について説明する。図１は実施の形態１に係る照明器具の斜視図である。但し、図１では簡単のため後述する光学フィルター５を省略している。図２は図１に示すＡ−Ａ’断面図である。図３は図２に示す照明器具の分解図である。
図１から図３までに示すように、実施の形態１に係る照明器具は、天井等の取付面２０に取り付けられる。実施の形態１に係る照明器具は、ＬＥＤ基板アレー１（光源部）、ＬＥＤ２、光源基台３、蛍光体シート４（波長変換部）、光学フィルター５、取付部６、電源部７、ネジ８を備える。また、図３に示すように、蛍光体シート４と光学フィルター５とは着脱自在である。つまり、蛍光体シート４と光学フィルター５とは交換可能である。
【０００８】
ＬＥＤ基板アレー１は、ＬＥＤ２が実装される基板である。ＬＥＤ基板アレー１は、複数のＬＥＤ２を備える。ＬＥＤ基板アレー１は、図１に示すように、１列に複数のＬＥＤ２を配置してもよいし、複数列に複数のＬＥＤ２を配置してもよい。ＬＥＤ基板アレー１は、後述する光源基台３の基台側板３−２の内側に設けられる。
ＬＥＤ２は、青色、青紫色あるいは紫外線の光を放出する。
光源基台３は、底面が円や四角、六角等の多角形のお盆状に形成される。つまり、光源基台３は、基台蓋板３−１と基台側板３−２とを有する。基台蓋板３−１は、基台側板３−２の一端に形成された面である。基台蓋板３−１は、照明器具が取付面２０に取り付けられた場合に取付面２０と略平行になる。基台側板３−２は、お盆状に形成された光源基台３の側面部分であり、周をなす部分である。図１から図３まででは、基台蓋板３−１と基台側板３−２とのなす角は直角であるがこれに限るものではなく、基台側板３−２が内側に傾斜して設けられても構わない。また、基台側板３−２は、照明器具の外郭を構成する。つまり、基台側板３−２は、照明器具の外側部分であり、原則としてその外側に他の部材が取り付けられることはない。
蛍光体シート４は、ＬＥＤ２が放出する光を励起光として他の可視光に波長変換する。蛍光体シート４は、シート状の蛍光体を基台蓋板３−１の内側に貼付しているとしても、蛍光体を基台蓋板３−１の内側に塗布しているとしても構わない。蛍光体シート４は、基台蓋板３−１の内側の全体に設けられても、一部のみに設けられても構わない。
光学フィルター５は、ＬＥＤ２が放出した光と蛍光体シート４が波長変換した可視光との内、所定の波長の光を遮断する。光学フィルター５は、ＬＥＤ２が放出した光と蛍光体シート４が波長変換した可視光とが照明器具の外部へ出る部分に設けられる。図１から図３まででは、基台側板３−２の端部に設けられている。
取付部６は、光源基台３を取付面２０に取り付ける。また、取付部６は、内部に電源部７が設けられる。取付部６は、取付部底板６−１と取付部側板６−２とを有するお盆状に形成される。取付部底板６−１は、外側を光源基台３の基台蓋板３−１の外側に取り付けられる。つまり、お盆状に形成された光源基台３と、お盆状に形成された取付部６とが逆方向に開口部分を向けて、底面を合わせて取り付けられる。図１から図３まででは、取付部底板６−１は基台蓋板３−１と同一の大きさである。しかし、これに限られず、取付部底板６−１が基台蓋板３−１よりも大きくても、小さくても構わない。取付部側板６−２は、例えば端部が取付面２０に取り付けられる。しかし、実施の形態１に係る照明器具の取付面２０への取付け方はこれに限らず、光源基台３の基台側板３−２の端部まで取付面２０に設けられた取付穴に埋め込んで取付するとしても構わない。
電源部７は、ＬＥＤ２へ電源を供給する部材である。
ネジ８は、光源基台３と取付部６とをネジ止めする。
【０００９】
ここで、ＬＥＤ基板アレー１は、光源基台３の基台側板３−２の内側に設けられる。また、蛍光体シート４は、光源基台３の基台蓋板３−１の内側にＬＥＤ基板アレー１が有するＬＥＤ２とは離れて設けられる。つまり、熱源となるＬＥＤ２と蛍光体シート４とは離れた位置に設けられる。そのため、熱の発生が分散されるので、放熱効率が高い。
基台側板３−２は、照明器具の外郭を構成する。そして、ＬＥＤ基板アレー１は、その基台側板３−２の内側に設けられる。つまり、ＬＥＤ基板アレー１に設けられたＬＥＤ２から照明器具の外郭までの距離が非常に短い。そのため、ＬＥＤ２で発生した熱の放熱効率が高い。
したがって、実施の形態１に係る照明器具は、全体として効率よく放熱することが可能である。
【００１０】
また、ＬＥＤ基板アレー１は、基台側板３−２の基台蓋板３−１側に寄せて設けてもよいし、図２、図３に示すように基台側板３−２の光学フィルター５に寄せて設けてもよい。ＬＥＤ基板アレー１が基台側板３−２の光学フィルター５に寄せて設けられた場合には、ＬＥＤ２と蛍光体シート４との距離が遠くなるため、より放熱効率が高い。
【００１１】
実施の形態２．
実施の形態２では、ＬＥＤ２が放出した光を効率よく蛍光体シート４へ集める照明器具について説明する。
【００１２】
図４に基づき、実施の形態２に係る照明器具について説明する。図４に示す照明器具は、ＬＥＤ台座９を備える。図４に示す照明器具のその他の構成は、図１から図３までに示す照明器具と同一である。
ＬＥＤ台座９は、一端にＬＥＤ基板アレー１を取り付けるとともに、他端が光源基台３の基台側板３−２の内側に設けられる。また、ＬＥＤ台座９のＬＥＤ基板アレー１を取り付ける端部は、蛍光体シート４方向に面を向けて傾いている。つまり、ＬＥＤ台座９を介して基台側板３−２に取り付けられたＬＥＤ２は、光軸が水平よりも蛍光体シート４側へ向いている。したがって、ＬＥＤ２が放出した光は効率よく蛍光体シート４へ集まる。基台側板３−２が内側に傾斜して設けられている場合にも同様の効果を得ることができる。
【００１３】
図５に基づき、図４に示した照明器具とは異なる実施の形態２に係る照明器具について説明する。図５に示す照明器具は、ＬＥＤ基板アレー１が有するＬＥＤが表面実装型ＬＥＤである。図５に示す照明器具のその他の構成は、図１から図３までに示す照明器具と同一である。
表面実装型ＬＥＤは、ＬＥＤ２が断面凹字型に形成された基板１０の凹部の底面に設けられる。つまり、基板１０はお盆状に形成されている。また、基板１０の凹部の側面内側にＬＥＤ２が放出した光を反射する反射部１１（１１ａ，１１ｂ）が設けられている。反射部１１が、ＬＥＤ２が放出したが蛍光体シート４方向に進まない光を反射して蛍光体シート４方向へ進行方向を変換する。したがって、ＬＥＤ２が放出した光は効率よく蛍光体シート４へ集まる。
ここで、反射部１１ｂは反射角に鑑みて、ＬＥＤ２が放出した光を蛍光体シート４方向へ反射するのが難しい場合には設ける必要はない。
【００１４】
また、図６に、ＬＥＤ２が放出した光をより効率よく蛍光体シート４へ集めるための表面実装型ＬＥＤの基板１０の形状を示す。図６の（ａ）は、図５と同様の方向から見た基板１０の断面図である。図６の（ｂ）は、基板１０を正面（図５のＢ方向）から見た図である。
図６の（ａ）に示すように、反射部１１ａの角度を蛍光体シート４側へ傾ける。つまり、反射部１１ａは、基板１０の凹部の底面から基板１０の側面の先端へ向かって、基台蓋板３−１と平行よりも基台蓋板３−１側へ傾いている。
また、図６の（ｂ）に示すように、反射部１１ｃと反射部１１ｄとは、反射部１１ａ側端部から反射部１１ｂ側端部へ向かって互いに離れる方向に傾いている。
つまり、反射部１１は、ＬＥＤ２が放出した光を反射する方向が蛍光体シート４側へ向くように傾けて設けられている。したがって、ＬＥＤ２が放出した光をより効率よく蛍光体シート４へ集めることができる。ＬＥＤ２が放出した光を効率よく集めることで、ＬＥＤ２の数を減らすことが可能となる。その結果、発生する熱を抑えることが可能となる。
【００１５】
実施の形態３．
実施の形態３では、実施の形態１に係る照明器具の放熱をより効率的にした照明器具について説明する。
【００１６】
図７に基づき、実施の形態３に係る照明器具について説明する。図７に示す照明器具は、電源部７が取付部側板６−２の内側に略密着して設けられる。電源部７は熱源となる部材である。電源部７が取付部側板６−２の内側に略密着して設けられた場合、電源部７から照明器具の外郭までの距離が非常に短い。そのため、電源部７で発生した熱の放熱効率が高い。
また、図７に示す照明器具は、蛍光体シート４を基台蓋板３−１の中央部分にのみ設けている。つまり、基台蓋板３−１の周縁部には蛍光体シート４が設けられていない。基台蓋板３−１の外側には電源部７が設けられているが、蛍光体シート４を基台蓋板３−１の中央部分にのみ設けることにより、熱源である蛍光体シート４と電源部７とを離すことができる。そのため、熱の発生が分散されるので、放熱効率が高い。
【００１７】
図８に基づき、図７に示した照明器具とは異なる実施の形態３に係る照明器具について説明する。図８に示す照明器具は、取付部６を有さず、光源基台３の基台蓋板３−１が取付面２０に直接取り付けられる。そして、取付部６に設けられていた電源部７が光源基台３の基台側板３−２の外側に設けられる。さらに、電源部７は、基台側板３−２のＬＥＤ基板アレー１が設けられた位置の裏側からずらして設けられる。
まず、光源基台３の基台蓋板３−１が取付面２０に直接取り付けられることにより、蛍光体シート４で発生した熱は基台蓋板３−１を介して取付面２０へ伝導する。熱源である蛍光体シート４から外部器具である取付面２０までの距離が短いため放熱効率が高い。
また、電源部７が光源基台３の基台側板３−２の外側に設けられるため、熱源である蛍光体シート４と電源部７とを離すことができる。そのため、熱の発生が分散されるので、放熱効率が高い。また、電源部７は、光源基台３の外側に設けられる。つまり、電源部７は、照明器具の外部に設けられる。したがって、放熱効率が高い。
さらに、電源部７は、基台側板３−２のＬＥＤ基板アレー１が設けられた位置の裏側からずらして設けられるため、熱源であるＬＥＤ２と電源部７とを離すことができる。そのため、熱の発生が分散されるので、放熱効率が高い。
【００１８】
図９に基づき、図７と図８とに示した照明器具とは異なる実施の形態３に係る照明器具について説明する。図９に示す照明器具は、取付部６を有さず、光源基台３の基台蓋板３−１が取付面２０に直接取り付けられる。そして、取付部６に設けられていた電源部７が光源基台３の基台蓋板３−１の凹部の外側に設けられる。つまり、基台蓋板３−１は、内側へ凹んだ凹部を有する。そして、電源部７は、その凹部に設けられる。
まず、図８に示した照明器具と同様に、光源基台３の基台蓋板３−１が取付面２０に直接取り付けられるので、熱源である蛍光体シート４から外部器具である取付面２０までの距離が短くなり、放熱効率が高い。
また、熱源であるＬＥＤ２と電源部７との距離を図７に示す照明器具よりも離すことができる。さらに、光源基台３と取付面２０との間に電源部７が設けられるため、美感を損なうことがない。
【００１９】
実施の形態４．
実施の形態４では、上記実施の形態で説明した照明器具において、ＬＥＤ２が放出する光が蛍光体シート４で変換されることなく外部へ漏れることを防止する照明器具について説明する。
【００２０】
図１０から図１２までに基づき実施の形態４に係る照明器具について説明する。図１０は実施の形態４に係る照明器具の斜視図である。図１１は、図１０に示す照明器具の後述する不透過部１２の一部を破断した状態を示す図である。図１２は図１０に示すＣ−Ｃ’断面図である。図１０と図１１とでは簡単のため光学フィルター５を省略している。
【００２１】
実施の形態４に係る照明器具は、不透過部１２を備える。実施の形態４に係る照明器具のその他の構成は、実施の形態１に係る照明器具と同一である。
不透過部１２は、光源基台３の基台側板３−２の端部の内側に設けられる。つまり、不透過部１２は、お盆状に形成された光源基台３の開口の周囲を覆うように形成される。また、不透過部１２は、ＬＥＤ２が放出する光を透過しない。
図１１に示すように、不透過部１２を設けない場合には、直接ＬＥＤ２が開口外から見える。しかし、図１０に示すように、不透過部１２を設けた場合には、直接ＬＥＤ２が開口外から見える範囲が減る。特に図１０に示すよりも不透過部１２を大きくすることで開口外からＬＥＤ２は一切見えない状態とすることも可能である。
【００２２】
実施の形態５．
実施の形態５では、上記実施の形態で説明した照明器具において蛍光体シート４が放出する光を拡散又は収束させる照明器具について説明する。
【００２３】
図１３と図１４とに基づき、実施の形態５に係る照明器具について説明する。図１３は、蛍光体シート４が放出する光を拡散させる照明器具を示す。図１４は、蛍光体シート４が放出する光を収束させる照明器具を示す。
【００２４】
図１３に示す照明器具は、蛍光体シート４が基台蓋板３−１とは反対側が凸部となる断面く字型に形成されている。つまり、蛍光体シート４を正面（図１３のＤ方向）から見た場合、蛍光体シート４の中央部分が凸部となっている。つまり、蛍光体シート４が逆山型に形成されている。そのため、蛍光体シート４が放出する光は広い角度に放出される。
【００２５】
図１４に示す照明器具は、蛍光体シート４が基台蓋板３−１側が凸部となる断面く字型に形成されている。つまり、蛍光体シート４を正面（図１４のＥ方向）から見た場合、蛍光体シート４の中央部分が凹部となっている。つまり、蛍光体シート４が山型に形成されている。そのため、蛍光体シート４が放出する光は狭い角度に放出される。
【図面の簡単な説明】
【００２６】
【図１】実施の形態１に係る照明器具の斜視図。
【図２】図１に示すＡ−Ａ’断面図。
【図３】図２に示す照明器具の分解図。
【図４】実施の形態２に係る照明器具の断面図。
【図５】図４とは異なる実施の形態２に係る照明器具の断面図。
【図６】表面実装型ＬＥＤの基板１０の形状を示す図。（ａ）は基板１０の断面図。（ｂ）は基板１０を正面図（図５のＢ方向から見た図）。
【図７】実施の形態３に係る照明器具の断面図。
【図８】図７とは異なる実施の形態３に係る照明器具の断面図。
【図９】図７と図８とは異なる実施の形態３に係る照明器具の断面図。
【図１０】実施の形態４に係る照明器具の斜視図。
【図１１】図１０に示す照明器具の不透過部１２の一部を破断した状態を示す図。
【図１２】図１０に示すＣ−Ｃ’断面図。
【図１３】蛍光体シート４が放出する光を拡散させる照明器具の断面図。
【図１４】蛍光体シート４が放出する光を収束させる照明器具の断面図。
【符号の説明】
【００２７】
１  ＬＥＤ基板アレー、２  ＬＥＤ、３  光源基台、４  蛍光体シート、５  光学フィルター、６  取付部、７  電源部、８  ネジ、９  ＬＥＤ台座、１０  基板、１１  反射部、１２  不透過部。
【図１】
2008218114.tif 000003
【図２】
2008218114.tif 000004
【図３】
2008218114.tif 000005
【図４】
2008218114.tif 000006
【図５】
2008218114.tif 000007
【図６】
2008218114.tif 000008
【図７】
2008218114.tif 000009
【図８】
2008218114.tif 000010
【図９】
2008218114.tif 000011
【図１０】
2008218114.tif 000012
【図１１】
2008218114.tif 000013
【図１２】
2008218114.tif 000014
【図１３】
2008218114.tif 000015
【図１４】
2008218114.tif 000016